(57)【要約】【課題】  部品点数を削減するとともに、食器収納棚などのデザインを損なうことのない閂把手を提供する。【解決手段】両開き扉Ｇの手先側にそれぞれ取付部材２１を介して固定された受け金具２Ｌ，２Ｒの断面優弧状案内面を有する案内部材２２，２２に、該案内部材２２の案内面に対応する内周面を有するとともに、受け金具２の取付部材２１と案内部材２２の連設部に対応する切欠部３ａが形成されたパイプ状の操作金具３が摺動自在に嵌挿されている。操作金具３は、一方の受け金具２Ｌの案内部材２２の先端から該一方の受け金具２Ｌの案内部材２２から離脱した位置間にわたって摺動可能である。また、一方の受け金具２Ｌの案内部材２２の先端に、操作金具３の外径と同一外径の円筒状ストッパ部材２３が一体に設けられ、操作金具３をストッパ部材２３に当接するとき、ストッパ部材２３および操作金具３が左右対称に位置する。【選択図】  図４
2006291591.tif 000002
【特許請求の範囲】
【請求項１】
両開き扉の手先側にそれぞれ固定された取付部材および該取付部材に一体に連設され、断面優弧状案内面を有する案内部材からなる受け金具と、受け金具の案内部材の案内面に対応する内周面を有するとともに、受け金具の取付部材と案内部材の連設部に対応する切欠部が形成されて、一方の受け金具の案内部材の先端から該一方の受け金具の案内部材から離脱した位置間にわたって受け金具の案内部材に摺動自在に嵌挿されたパイプ状の操作金具と、から構成され、一方の受け金具の案内部材の先端に、操作金具の外径と同一外径の円筒状ストッパ部材が一体に設けられ、また、操作金具を摺動操作して一方の受け金具のストッパ部材に当接させた際、受け金具の取付部材、ストッパ部材および操作金具が左右対称に位置することを特徴とする両開き扉の閂把手。
【請求項２】
前記他方の受け金具の案内部材の先端に、該案内部材の案内面に連続する案内面を有する延長部材が一体に設けられるとともに、延長部材の先端に該延長部材の外径よりも大きく、ストッパ部材の外径よりも小径のストッパ板が設けられ、また、操作金具の内面に、受け金具の案内部材の案内面に対応する内周面と段差部をおいてストッパ板の外径に対応する内径の内周面が形成され、操作金具が一方の受け金具の案内部材から離脱した際に、操作金具の内周面による段差部がストッパ板に当接することを特徴とする請求項１記載の両開き扉の閂把手。
【発明の詳細な説明】
【技術分野】
【０００１】
この発明は、観音開き方式に開閉する両開き扉の閂把手に関するものである。
【背景技術】
【０００２】
一般に、食器収納棚やシステムキッチンあるいは家具などの観音開き方式の両開き扉には、各扉を閉鎖位置に保持する閂が用いられている。この閂は、一方の扉に案内金具を設け、また、他方の扉に、案内金具に係脱自在な係止ピンを摺動自在に嵌挿した係止金具を設けて構成され、係止金具に対して係止ピンを摺動操作することにより、係止ピンを案内金具に係合させて両開き扉の開閉を阻止する一方、係合状態の係止ピンを案内金具から離脱させて両開き扉の開閉を許容するものである（例えば、特許文献１，２参照）。
【特許文献１】特開平９−１５１６４８号公報
【特許文献２】特開平７−１１３３６８号公報
【発明の開示】
【発明が解決しようとする課題】
【０００３】
しかしながら、前述した閂は、地震などに際して、不用意に扉が開き出し、食器などの収容物が外部に落下して破損することを防止できるものの、扉を開閉するための把手を別途設ける必要があり、部品点数が増加してコストの上昇を招くとともに、食器収納棚などのデザインを損なうという問題があった。
【０００４】
本発明は、このような問題点に鑑みてなされたもので、部品点数を削減するとともに、食器収納棚などのデザインを損なうことのない閂把手を提供するものである。
【課題を解決するための手段】
【０００５】
本発明は、両開き扉の手先側にそれぞれ固定された取付部材および該取付部材に一体に連設され、断面優弧状案内面を有する案内部材からなる受け金具と、受け金具の案内部材の案内面に対応する内周面を有するとともに、受け金具の取付部材と案内部材の連設部に対応する切欠部が形成されて、一方の受け金具の案内部材の先端から該一方の受け金具の案内部材から離脱した位置間にわたって受け金具の案内部材に摺動自在に嵌挿されたパイプ状の操作金具と、から構成され、一方の受け金具の案内部材の先端に、操作金具の外径と同一外径の円筒状ストッパ部材が一体に設けられ、また、操作金具を摺動操作して一方の受け金具のストッパ部材に当接させた際、受け金具の取付部材、ストッパ部材および操作金具が左右対称に位置することを特徴とするものである。
【０００６】
本発明によれば、操作金具を摘んで受け金具の案内部材に沿って抜き出し方向に摺動させれば、操作金具が一方の受け金具の案内部材から離脱する。この状態で、一方の受け金具の案内部材もしくは他方の受け金具の案内部材に嵌合された操作金具を摘んで引き出せば、扉を開放することができる。一方、扉を閉鎖した後、操作金具を摘んで受け金具の案内部材に沿って押し込み方向に摺動させ、ストッパ部材に当接させれれば、操作金具は、一方の受け金具の案内部材および他方の受け金具の案内部材にわたって嵌合されて、閂棒として機能する。したがって、扉が不用意に開き出すことを確実に防止することができる。また、この状態では、受け金具の取付部材、ストッパ部材および操作金具が左右対称に位置している。
【０００７】
この結果、閂機能と把手機能とを併せ持つことにより、閂と把手を各別に設ける場合に比較して部品点数を削減することができるとともに、食器収納棚などのデザインを損なうこともない。また、構造がシンプルであり、部品点数の削減と相俟ってコストを削減することができる。
【０００８】
本発明において、前記他方の受け金具の案内部材の先端に、該案内部材の案内面に連続する案内面を有する延長部材が一体に設けられるとともに、延長部材の先端に該延長部材の外径よりも大きく、ストッパ部材の外径よりも小径のストッパ板が設けられ、また、操作金具の内面に、受け金具の案内部材の案内面に対応する内周面と段差部をおいてストッパ板の外径に対応する内径の内周面が形成され、操作金具が一方の受け金具の案内部材から離脱した際に、操作金具の内周面による段差部がストッパ板に当接すると、操作金具の抜け出しを確実に防止することができるとともに、扉の開放を許容する位置に達したことを把握することができるため、好ましい。
【発明の効果】
【０００９】
本発明によれば、閂と把手との機能を併せ持つことによって、部品点数を削減することができるとともに、食器収納棚などのデザインを損なうこともない。
【発明を実施するための最良の形態】
【００１０】
以下、本発明の実施の形態を図面に基づいて説明する。
【００１１】
図１乃至図３には、本発明の両開き扉の閂把手１の一実施形態が示されている。
【００１２】
この閂把手１は、各扉Ｇ，Ｇの手先側にそれぞれ設けられた受け金具２Ｌ，２Ｒと、受け金具２Ｌ，２Ｒに沿って摺動自在に嵌挿された操作金具３と、から構成されている。
【００１３】
受け金具２Ｌ，２Ｒは、主に直方体形状の取付部材２１および該取付部材２１に断面優弧状案内面を有する略円筒形状の案内部材２２を一体に連設して形成され、取付部材２１の内端面と案内部材２２の内端面は、連続する同一の垂直面上に位置するように設定されている。そして、一方の受け金具２Ｌの案内部材２２の先端には、該案内部材２２における案内面の曲率半径よりも大きな外径の円筒形状のストッパ部材２３が案内部材２２と同心上に位置して一体に設けられている。また、他方の受け金具２Ｒの案内部材２２の先端には、該案内部材２２における案内面の曲率半径と同一外径の円筒形状の延長部材２４が案内部材２２の案内面に連続する案内面を形成するように一体に設けられるとともに、その先端には、延長部材２４の外径よりも若干大きく、前述したストッパ部材２３の外径よりも若干小さな外径のストッパ板２５が一体に設けられている。これらのストッパ部材２３およびストッパ板２５によって、後述する操作金具３の摺動範囲を規制している。
【００１４】
ここで、一方の受け金具２Ｌの取付部材２１および案内部材２２と、他方の受け金具２Ｒの取付部材２１および案内部材２２とは、同一の大きさに形成されている他、一方の受け金具２Ｌのストッパ部材２３の長さと、他方の受け金具２Ｒの延長部材２４の長さにストッパ板２５の厚みを加えた長さとは、同一に設定されている。
【００１５】
なお、各受け金具における取付部材２１および案内部材２２の連設部の上下面には、断面略三角形状の案内溝２ａが長手方向に沿って形成されており、後述するように、操作金具３の切欠部３ａの対向する上下の端縁が嵌挿されるようになっている。
【００１６】
操作金具３は、前述した一方の受け金具２Ｌのストッパ部材２３の外径と同一外径の管状体であって、その内周面には、受け金具２Ｌ，２Ｒの案内部材２２の断面優弧状案内面の曲率半径と同一内径の第１内周面３ｘが一端から略中間部にかけて形成されるとともに、略中間部から他端にかけてストッパ板２５の外径と同一内径の第２内周面３ｙが形成されている。したがって、操作金具３の内周面の略中間部には、第１内周面３ｘと第２内周面３ｙによる段差部３ｚが形成され、その段差部３ｚがストッパ板２５に当接して係止されるようになっている。
【００１７】
また、操作金具３には、その一端から先端近傍にかけて、受け金具２Ｌ，２Ｒの取付部材２１および案内部材２２の連設部に形成された上下の案内溝２ａを挟み込むように、切欠部３ａが形成されている。
【００１８】
ここで、操作金具３の長さは、各扉Ｇにそれぞれ受け金具２Ｌ，２Ｒを固定した状態において、一方の受け金具２Ｌのストッパ部材２３の内端から他方の受け金具２Ｒの延長部材２４に設けたストッパ板２５の先端までの長さに設定され、また、操作金具３を一方の受け金具２Ｌの案内部材２２および他方の受け金具２Ｒの案内部材２２にわたって嵌挿した状態において、それらの案内部材２２，２２の案内面に沿って操作金具３を摺動させ、その第１内周面３ｘおよび第２内周面３ｙの段差部３ｚが他方の受け金具２Ｒのストッパ板２５に当接してそれ以上の引き出しが規制された際、操作金具３の一端が一方の受け金具２Ｌの案内部材２２の内端を越えて位置するように設定されている。
【００１９】
次に、このように構成された閂把手１の組立要領およびその操作について説明する。
【００２０】
まず、各扉Ｇの手先側にそれぞれ受け金具２Ｌ，２Ｒを接着剤あるいはビスなどを利用して固定する。この際、受け金具２Ｌ，２Ｒの取付部材２１の下面が同一水平面上に位置するとともに、それらの取付部材２１の内端面が各扉Ｇの手先側端面からそれぞれ同一の間隔をおいて固定する。
【００２１】
受け金具２Ｌ，２Ｒをそれぞれ固定したならば、操作金具３を把持し、その第１内周面３ｘが臨む側の開口を他方の受け金具２Ｒの延長部材２４に対向させて押し込み、嵌合させるとともに、その切欠部３ａの開口端を該受け金具２Ｒの案内溝２ａに対向するように調整した後、嵌合させて押し込む。この際、操作金具３は、他方の受け金具２Ｒの案内部材２２の案内面を経て一方の受け金具２Ｌの案内部材２２の案内面に沿って摺動するとともに、一方の受け金具２Ｌの案内溝２ａに沿って切欠部３ａが摺動する。この際、操作金具３の切欠部３ａが上下の案内溝２ａに嵌合されているため、操作金具３が受け金具２Ｌ，２Ｒの案内部材２２の軸心回りに回転することなく摺動される。
【００２２】
操作金具３を押し込むことにより、その先端がストッパ部材２３の内端面に当接したならば、操作金具３の第２案内面２ｙが臨む側の他方の開口を通してストッパ板２５を差し込み、他方の受け金具２Ｒの延長部材２４の先端面に接着剤またはビスを利用して固定すれば、閂把手１の取付作業を終了する。
【００２３】
このようにして扉に固定された閂把手１は、各扉Ｇの手先側開口端面に対して左右対称に位置している。そして、この状態では、操作金具３は、左右の受け金具２Ｌ，２Ｒの案内部材２２，２２にわたって嵌合されており、操作金具３が閂棒としての機能を有するため、各扉Ｇの開き出しは阻止されている。したがって、地震などが発生したとしても、操作金具３は摩擦抵抗によって受け金具２Ｌ，２Ｒの案内部材２２に対して摺動することがなく、扉Ｇは閉鎖位置に確実に保持される。このため、内部に収容された物品が外部に脱落して周囲に散乱することを確実に防止することができる。
【００２４】
一方、扉Ｇを開放して、内部に収容された物品を取り出す際には、操作金具３を上下から指先にて挟み込み、受け金具２Ｌ，２Ｒの案内部材２２の案内面との摩擦抵抗に抗して他方の受け金具２Ｒ方向に抜き出すように摺動させればよい。操作金具３が一定距離摺動すれば、その先端側半部がストッパ板２５を越えて突出するとともに、その第１内周面３ｘと第２内周面３ｙとの段差部３ｚがストッパ板２５に当接してそれ以上の摺動を阻止することから、操作金具３の抜け出しを阻止することができる。この状態では、操作金具３の、第１内周面３ｘが臨む側の開口端は、一方の受け金具２Ｌの案内部材２２から離脱しており、閂棒としての機能が解除されて、各扉Ｇの開き出しが許容される。したがって、一方の受け金具２Ｌもしくは他方の受け金具２Ｒを指先にて上下から挟み込んで引き出すことにより、各扉Ｇを図示しないヒンジ回りに回転させて開放することができる。この場合、扉Ｇの表面と一方の受け金具２Ｌの案内部材２２との間に、案内部材２２の直径よりも厚みが小さな取付部材２１が設けられ、あるいは、扉Ｇの表面と他方の受け金具２Ｒの案内部材２２との間に、該案内部材２２に嵌合された操作金具３の直径よりも厚みが小さな取付部材２１が設けられていることにより、容易に取付部材２１を摘むことができるとともに、指先が取付部材２１から滑って離脱することを防止でき、容易に開放することができる。
【００２５】
なお、前述した実施形態においては、受け金具２の取付部材２１を浅い直方体形状に形成した場合を例示したが、扉Ｇの引き出しに際して、一方の受け金具２Ｌの案内部材２２、あるいは、操作金具３を摘むために一定の間隔を扉Ｇとの間に確保すればよいことから、形状を特に限定するものではない。
【図面の簡単な説明】
【００２６】
【図１】本発明の両開き扉の閂把手の一実施形態を示す斜視図である。
【図２】図１の閂把手のＡ−Ａ線断面図である。
【図３】図１の閂把手のＢ−Ｂ線断面図である。
【図４】図１の閂把手を操作した状態を示す斜視図である。
【図５】図４の閂把手のＣ−Ｃ線断面図である。
【図６】図４の閂把手を背面側から見た斜視図である。
【符号の説明】
【００２７】
１  閂把手
２Ｌ，２Ｒ  受け金具
２ａ  案内溝
２１  取付部材
２２  案内部材
２３  ストッパ部材
２４  延長部材
２５  ストッパ板
３  操作金具
３ａ  切欠部
３ｘ  第１案内面
３ｙ  第２案内面
３ｚ  段差部
【図１】
2006291591.tif 000003
【図２】
2006291591.tif 000004
【図３】
2006291591.tif 000005
【図４】
2006291591.tif 000006
【図５】
2006291591.tif 000007
【図６】
2006291591.tif 000008